(57)【特許請求の範囲】
【請求項１】
軸線方向に延びる軸孔を有し、外周面に内燃機関の取付孔に螺合するためのねじ部を具備する筒状のハウジングと、
少なくとも自身の先端部が前記ハウジングの先端から突出した状態で、前記軸孔に挿設されるヒーター部材とを備えるグロープラグであって、
前記ハウジングは、
前記ねじ部の先端から先端側に延びる筒状の先端側胴部と、
前記先端側胴部の前記軸線方向先端側に隣接するとともに、自身の後端に設けられた屈曲部において、自身の少なくとも後端部が前記軸線方向と交差する方向に向けて延びるように曲げられたガスケット部とを有し、
前記ガスケット部は、前記内燃機関の取付孔に前記ねじ部を螺合した際に、前記内燃機関の座面に対して自身の外周側に位置する面が圧接する圧接部を有し、
前記先端側胴部のみに、内周において前記ヒーター部材を保持する保持部を具備することを特徴とするグロープラグ。
【請求項２】
前記ガスケット部のうち前記屈曲部よりも前記軸線方向先端側の部位には、１つ以上の補助屈曲部が設けられ、前記補助屈曲部において、前記ガスケット部が曲げられていることを特徴とする請求項１に記載のグロープラグ。
【請求項３】
次の（ａ）又は（ｂ）のいずれかを満たすことを特徴とする請求項１又は２に記載のグロープラグ。
（ａ）前記ねじ部のねじ径がＭ１２であり、前記先端側胴部の肉厚が１．６ｍｍ以下であること
（ｂ）前記ねじ部のねじ径がＭ１０、Ｍ９、又は、Ｍ８であり、前記先端側胴部の肉厚が０．９ｍｍ以下であること
【請求項４】
前記ガスケット部の肉厚が、前記先端側胴部の肉厚よりも小さいことを特徴とする請求項１乃至３のいずれか１項に記載のグロープラグ。
【請求項５】
請求項１乃至４のいずれか１項に記載のグロープラグの製造方法であって、
前記ハウジングを形成するハウジング形成工程を含み、
前記ハウジング形成工程は、板状の金属材に対して深絞り加工を施すことにより、前記ハウジングとなるべき筒状のハウジング中間体を形成する工程を含むことを特徴とするグロープラグの製造方法。
【発明の詳細な説明】
【技術分野】
【０００１】
本発明は、ディーゼルエンジンの予熱などに使用するグロープラグ及びその製造方法に関する。
【背景技術】
【０００２】
ディーゼルエンジン等の内燃機関における始動補助などに用いられるグロープラグは、筒状のハウジングや通電により発熱するヒーター部材等を備えている。また、前記ヒーター部材としては、導電性セラミックからなる発熱素子を有するセラミックヒータや、発熱コイルを有するシースヒータが採用される場合がある。
【０００３】
加えて、ハウジングは、内燃機関に対する取付用のねじ部と、内燃機関の取付孔に前記ねじ部を螺合した際に、内燃機関に設けられた座面に対して圧接し、燃焼室内の気密性を確保するための圧接部とを備えている。一般に圧接部は、軸線方向先端側に向けて徐々に外径が小さくなるように形成されたハウジングの先端面により構成されている（例えば、特許文献１等参照）。また、グロープラグを内燃機関に取付けた状態においては、ハウジングのうち圧接部及びねじ部間に位置する部位（先端側胴部）に対して軸線方向に沿った圧縮力（軸力）が加わることとなる。そして、圧接部は、前記軸力に対応する接触圧力で座面に対して圧接する。
【先行技術文献】
【特許文献】
【０００４】
【特許文献１】特開２００８−８９２３３号公報
【発明の概要】
【発明が解決しようとする課題】
【０００５】
ところで、燃費性能の向上や製造コストの削減を図るという点では、ハウジングを薄肉とし、ハウジングの軽量化を図ることが好ましい。しかしながら、ハウジングを薄肉とすると、座面に対する前記圧接部の接触面積が減少してしまう。また、ハウジングの破損防止を考慮すると、ハウジング（先端側胴部）に対して大きな軸力を与えることは難しく、座面に対する圧接部の接触圧力が小さくなってしまうおそれがある。その結果、燃焼室内における気密性の低下を招いたり、内燃機関の動作に伴う振動等により、内燃機関に対するグロープラグの緩みが生じやすくなったりするおそれがある。
【０００６】
これに対して、圧接部の傾斜角度（軸線を含む断面において、圧接部の外形線と軸線とのなす角のうち鋭角の角度）を小さくすることで、圧接部の面積を十分に確保し、気密性の向上を図ることが考えられる。ところが、この場合には、座面に対する圧接部の接触圧力が一段と低下してしまい、気密性を向上させることができないおそれがある。
【０００７】
本発明は、上記事情を鑑みてなされたものであり、その目的は、薄肉のハウジングであっても、燃焼室内において良好な気密性を確保できるとともに、内燃機関に対するグロープラグの緩みをより確実に防止することができるグロープラグ及びその製造方法を提供することにある。
【課題を解決するための手段】
【０００８】
以下、上記目的を解決するのに適した各構成につき、項分けして説明する。なお、必要に応じて対応する構成に特有の作用効果を付記する。
【０００９】
構成１．本構成のグロープラグは、軸線方向に延びる軸孔を有し、外周面に内燃機関の取付孔に螺合するためのねじ部を具備する筒状のハウジングと、
少なくとも自身の先端部が前記ハウジングの先端から突出した状態で、前記軸孔に挿設されるヒーター部材とを備えるグロープラグであって、
前記ハウジングは、
前記ねじ部の先端から先端側に延びる筒状の先端側胴部と、
前記先端側胴部の前記軸線方向先端側に隣接するとともに、自身の後端に設けられた屈曲部において、自身の少なくとも後端部が前記軸線方向と交差する方向に向けて延びるように曲げられたガスケット部とを有し、
前記ガスケット部は、前記内燃機関の取付孔に前記ねじ部を螺合した際に、前記内燃機関の座面に対して自身の外周側に位置する面が圧接する圧接部を有し、
前記先端側胴部のみに、内周において前記ヒーター部材を保持する保持部を具備することを特徴とする。
【００１０】
上記構成１によれば、内燃機関の取付孔にねじ部を螺合した際には、ハウジングの先端面ではなく、圧接部の外周側に位置する面が、内燃機関の座面に対して圧接するように構成されている。従って、座面に対する圧接部の接触面積を十分に大きなものとすることができる。
【００１１】
また、上記構成１によれば、ガスケット部は、自身の後端に設けられた屈曲部において、自身の少なくとも後端部が軸線（つまり、軸力の印加方向）と交差する方向に曲げられている。すなわち、内燃機関への取付に伴いハウジングに軸力が加わった場合には、屈曲部においてガスケット部が屈曲変形するように構成されており、ガスケット部は軸線方向に沿ったバネ性を有するものとされている。従って、内燃機関の動作に伴う振動等が加えられた場合であっても、座面に対して圧接部をより確実に接触させることができる。その結果、上述の通り、座面に対する圧接部の接触面積を大きくできることと相俟って、燃焼室内において良好な気密性を確保することができる。また、圧接部及び座面間で生じる摩擦力を増大させることができるため、内燃機関に対するグロープラグの緩みをより確実に防止することができる。
【００１２】
構成２．本構成のグロープラグは、上記構成１において、前記ガスケット部のうち前記屈曲部よりも前記軸線方向先端側の部位には、１つ以上の補助屈曲部が設けられ、前記補助屈曲部において、前記ガスケット部が曲げられていることを特徴とする。
【００１３】
上記構成２によれば、ガスケット部のバネ性をより高めることができ、座面に対して圧接部を一層確実に、かつ、より安定した状態で接触させることができる。その結果、気密性の更なる向上を図ることができるとともに、グロープラグの緩みを一層確実に防止することができる。
【００１４】
構成３．本構成のグロープラグは、上記構成１又は２において、次の（ａ）又は（ｂ）のいずれかを満たすことを特徴とする。
【００１５】
（ａ）前記ねじ部のねじ径がＭ１２であり、前記先端側胴部の肉厚が１．６ｍｍ以下であること
（ｂ）前記ねじ部のねじ径がＭ１０、Ｍ９、又は、Ｍ８であり、前記先端側胴部の肉厚が０．９ｍｍ以下であること
上記構成３によれば、先端側胴部を十分に薄肉とすることができ、ハウジングの軽量化を図ることができる。従って、燃費性能の向上や製造コストの削減を図ることができる。また、ハウジング（先端側胴部）側へと引かれるヒーター部材の熱を減少させることができるため、ヒーター部材における急速昇温性の向上や、ヒーター部材を所定温度に到達させるために必要な電力の低減を図ることができる。
【００１６】
尚、上記構成３のように、先端側胴部が薄肉とされた場合には、圧接部の面積減少や軸力低下による、気密性の低下やグロープラグの緩みが特に懸念されるが、上記構成１等を採用することで、このような懸念を払拭することができる。換言すれば、上記構成１等は、上記構成３のように先端側胴部の肉厚が規定されたグロープラグにおいて、特に有意である。
【００１７】
構成４．本構成のグロープラグは、上記構成１乃至３のいずれかにおいて、前記ガスケット部の肉厚が、前記先端側胴部の肉厚よりも小さいことを特徴とする。
【００１８】
上記構成４によれば、内燃機関の取付孔にねじ部を螺合した際には、ガスケット部を先端側胴部よりも変形しやすくすることができる。従って、先端側胴部の変形に伴う軸力の低下を防止しつつ、座面に対して圧接部をより確実に、かつ、より安定的な状態で接触させることができる。その結果、燃焼室内における気密性を一層向上させることができるとともに、グロープラグの緩み防止効果をより高めることができる。
【００１９】
構成５．本構成のグロープラグの製造方法は、上記構成１乃至４のいずれかに記載のグロープラグの製造方法であって、
前記ハウジングを形成するハウジング形成工程を含み、
前記ハウジング形成工程は、板状の金属材に対して深絞り加工を施すことにより、前記ハウジングとなるべき筒状のハウジング中間体を形成する工程を含むことを特徴とする。
【００２０】
上記構成５によれば、深絞り加工より、ハウジングとなるべきハウジング中間体が製造されるように構成されている。従って、全体的に薄肉とされた軽量のハウジングをより容易に製造することができ、生産性の向上を図ることができる。
【００２１】
また、ハウジングを全体的に薄肉とできるため、ハウジングの一層の軽量化を図ることができる。その結果、燃費性能の向上や製造コストの削減等の作用効果をさらに高めることができる。
【図面の簡単な説明】
【００２２】
【図１】グロープラグの正面図である。
【図２】グロープラグの一部破断正面図である。
【図３】ガスケット部の構成を示す拡大断面図である。
【図４】内燃機関に取付けられたグロープラグを示す拡大断面図である。
【図５】（ａ）は、金属材の斜視図であり、（ｂ）〜（ｄ）は、深絞り加工による金属材の形状変化の遷移を示す正面図であり、（ｅ）は、ハウジング中間体を示す正面図である。
【図６】（ａ）は、工具係合部を形成する際に用いられるダイスやパンチを示す一部破断正面図であり、（ｂ）は、ハウジング中間体が配置されたダイス等を示す一部破断正面図である。
【図７】（ａ）は、工具係合部の形成工程の一過程を示す一部破断正面図であり、（ｂ）は、工具係合部が形成されたハウジング中間体を示す正面図である。
【図８】別の実施形態における、ガスケット部の構成を示す拡大端面図である。
【図９】別の実施形態における、ガスケット部の構成を示す拡大端面図である。
【図１０】別の実施形態における、ガスケット部の構成を示す拡大端面図である。
【図１１】別の実施形態における、ガスケット部の構成を示す拡大端面図である。
【図１２】別の実施形態における、グロープラグの構成を示す一部破断正面図である。
【発明を実施するための形態】
【００２３】
以下に、一実施形態について図面を参照しつつ説明する。図１は、グロープラグ１の正面図であり、図２は、グロープラグ１の一部破断正面図である。尚、図１等では、グロープラグ１の軸線ＣＬ１方向を図面における上下方向とし、下側をグロープラグ１の先端側、上側を後端側として説明する。
【００２４】
図１及び図２に示すように、グロープラグ１は、筒状のハウジング２と、ハウジング２に装着されたヒーター部材３とを備えている。
【００２５】
ハウジング２は、所定の金属（例えば、炭素鋼やステンレス鋼など）により形成されており、軸線ＣＬ１方向に貫通する軸孔４を有している。また、ハウジング２の外周面には、ディーゼルエンジン等の内燃機関の取付孔へと螺合するためのねじ部５と、内燃機関への取付時にトルクレンチ等の工具を係合させるための断面六角形状の工具係合部６とが形成されている。尚、本実施形態において、ねじ部５のねじ径はＭ１２とされている。また、工具係合部６の内周は、工具係合部６の外周形状に倣う断面六角形状とされている。
【００２６】
さらに、ハウジング２は、後述する先端側胴部９の軸線ＣＬ１方向先端側に隣接するとともに、前記取付孔にねじ部５を螺合した際に、前記内燃機関の座面（図示せず）に対して圧接するガスケット部７を備えている。当該ガスケット部７が前記座面に圧接することで、燃焼室における気密性の確保が図られている。尚、ガスケット部７の構成については、後に詳述する。
【００２７】
加えて、ハウジング２は、ねじ部５及び工具係合部６間に位置する後端側胴部８と、ねじ部５の先端から先端側に向けて延び、ガスケット部７及びねじ部５間に位置する先端側胴部９とを備えている。後端側胴部８は、円筒状をなし、軸線ＣＬ１方向に沿って一定の外径を有するように構成されている。一方で、先端側胴部９は、その外周面及び内周面が湾曲状をなしており、軸孔４で最小の内径を有し、内周において前記ヒーター部材３を保持する保持部２０を具備している。尚、本実施形態において、保持部２０は、先端側胴部９における最小の外径を有するように構成されている。
【００２８】
また、本実施形態において、ハウジング２は全体的に薄肉で、かつ、ほぼ均一の肉厚を有するように構成されており、先端側胴部９の肉厚は１．６ｍｍ以下とされている。尚、ねじ部５のねじ径がＭ８、Ｍ９、又は、Ｍ１０である場合、先端側胴部９の肉厚は０．９ｍｍ以下とされる。但し、先端側胴部９の強度を十分に確保すべく、先端側胴部９の肉厚を所定値（例えば、０．３ｍｍ）以上とすることが好ましい。
【００２９】
ヒーター部材３は、チューブ１０と、当該チューブ１０の内部に配置される発熱コイル１２及び制御コイル１３とを備えており、所定の金属（例えば、鉄系合金など）からなる中軸１１と直列的に接続されている。また、ヒーター部材３は、自身の先端部がハウジング２の先端から突出した状態で前記保持部２０に圧入されることにより、ハウジング２に対して固定されている。
【００３０】
チューブ１０は、鉄（Ｆｅ）又はニッケル（Ｎｉ）を主成分とする金属〔例えば、ニッケル基合金やステンレス合金等〕から形成され、先端部が閉じた筒状チューブである。また、当該チューブ１０の内側には、自身の先端部がチューブ１０の先端に接合された発熱コイル１２と、当該発熱コイル１２の後端部に対して直列接続された制御コイル１３とが酸化マグネシウム粉末を含む絶縁粉末１４とともに封入されている。尚、発熱コイル１２は、その先端においてチューブ１０と導通しているが、発熱コイル１２及び制御コイル１３の外周面とチューブ１０の内周面とは、絶縁粉末１４の介在により絶縁された状態となっている。
【００３１】
さらに、前記チューブ１０の後端側内周と中軸１１との間には、所定のゴム（例えば、シリコーンゴムやフッ素ゴム等）からなる環状ゴム１５が設けられており、チューブ１０内は封止されている。
【００３２】
前記発熱コイル１２は、所定の金属（例えば、Ｆｅを主成分とし、ＡｌやＣｒ等を含む合金など）からなる抵抗発熱線が螺旋状に巻回されることで構成されている。発熱コイル１２は、中軸１１を介して通電されることで発熱する。
【００３３】
また、制御コイル１３は、発熱コイル１２の材質よりも電気比抵抗の温度係数が大きい材質、例えばコバルト（Ｃｏ）−Ｎｉ−Ｆｅ系合金等に代表されるＣｏ又はＮｉを主成分とする抵抗発熱線により構成されている。これにより、制御コイル１３は、自身の発熱及び発熱コイル１２からの発熱を受けることにより電気抵抗値を増大させ、発熱コイル１２に対する供給電力を制御する。具体的には、通電初期においては発熱コイル１２に対して比較的大きな電力が供給され、発熱コイル１２の温度は急速に上昇する。すると、その発熱により制御コイル１３が加熱され、制御コイル１３の電気抵抗値が増大し、発熱コイル１２への供給電力が減少する。これにより、ヒーター部材３の昇温特性は、通電初期に急速昇温した後、以降は制御コイル１３の働きにより供給電力が抑制されて温度が飽和する形となる。つまり、制御コイル１３の存在により、急速昇温性を高めつつ、発熱コイル１２の過昇温（オーバーシュート）が生じにくくなるように構成されている。
【００３４】
中軸１１は、中実の棒状をなし、自身の先端部がチューブ１０内に挿入されている。そして、中軸１１の最先端部が、前記制御コイル１３の後端部に挿通された状態で、中軸１１及び制御コイル１３が抵抗溶接されることにより、中軸１１及び制御コイル１３が接続されている。
【００３５】
さらに、中軸１１の後端部には、有底筒状をなすケーブル接続用の端子ピン１７が加締め固定されている。また、端子ピン１７の先端部とハウジング２の後端部との間には、両者間における直接的な通電（短絡）を防止すべく、絶縁性素材からなる絶縁ブッシュ１８が設けられている。加えて、軸孔４内の気密性の向上等を図るべく、ハウジング２及び中軸１１の間には、絶縁ブッシュ１８の先端部に接触するようにして絶縁性素材からなる環状のシール部材１９が設けられている。
【００３６】
ところで、本実施形態では、上述の通り、先端側胴部９の肉厚が１．６ｍｍ以下又は０．９ｍｍ以下とされているため、従来技術のように、ハウジング２（先端側胴部９）の先端面を内燃機関の座面に圧接させる構成とした場合には、ハウジング２の先端部と座面との接触面積が非常に小さなものとなる。従って、燃焼室内の気密性を十分に確保することができないおそれがある。
【００３７】
この点を考慮して、本実施形態では、燃焼室内において良好な気密性を確保すべく、ガスケット部７が、次のように構成されている。すなわち、ガスケット部７は、図３に示すように、自身の後端に設けられた屈曲部７Ａにおいて、自身の少なくとも後端部７Ｄが軸線ＣＬ１方向と交差する方向に向けて延びる（本実施形態では、軸線ＣＬ１方向先端側に向けて外周側に延びる）ように曲げられている。そして、ガスケット部７は、その先端部に、内燃機関の取付孔にねじ部５を螺合した際に、前記内燃機関の座面に対して自身の外周側に位置する面が圧接する圧接部７Ｂを有している。
【００３８】
さらに、本実施形態において、ガスケット部７のうち屈曲部７Ａよりも軸線ＣＬ１方向先端側の部位には補助屈曲部７Ｃが設けられており、当該補助屈曲部７Ｃにおいて、ガスケット部７が曲げられている。すなわち、本実施形態のガスケット部７は、複数箇所において曲げられた構成とされている。
【００３９】
上述のようにガスケット部７が構成されることで、ハウジング２に対して軸線ＣＬ１方向に沿った軸力が加わった際には、屈曲部７Ａ及び補助屈曲部７Ｃにおいてガスケット部７に曲がり変形が生じるようになっており、ガスケット部７は軸線ＣＬ１方向に沿ったバネ性を有するものとされている。そのため、図４に示すように、内燃機関ＥＮの取付孔ＨＯに対してねじ部５を螺合し、圧接部７Ｂを内燃機関ＥＮの座面ＴＳに圧接させた際には、屈曲部７Ａ及び補助屈曲部７Ｃにおいてガスケット部７に曲がり変形が生じ、圧接部７Ｂのうち座面ＴＳに圧接する部位には、軸線ＣＬ１方向先端側（座面ＴＳ側）に向けた反力が加わるようになっている。
【００４０】
加えて、本実施形態では、ガスケット部７の肉厚が、先端側胴部９の肉厚よりも小さくなるように構成されている。
【００４１】
次に上記のように構成されてなるグロープラグ１の製造方法について説明する。尚、特に明記しない部位については、従来公知の方法が採用される。
【００４２】
まず、Ｆｅを主成分とし、ＣｒやＡｌを含有する抵抗発熱線をコイル形状に加工し、発熱コイル１２を得る。また、アーク溶接等によって、発熱コイル１２の後端部分と、Ｃｏ−Ｎｉ−Ｆｅ系合金等の抵抗発熱線をコイル形状に加工した制御コイル１３の先端部分とを接合する。
【００４３】
次に、最終寸法より加工代分だけ大径に形成され、かつ、先端の閉じていない筒状のチューブ１０内に、中軸１１の先端と、当該中軸１１と一体となった発熱コイル１２及び制御コイル１３とが配置される。そして、アーク溶接によって、チューブ１０の先端部分を閉塞させるとともに、当該チューブ１０の先端部分と発熱コイル１２の先端部分とを接合する。
【００４４】
その後、チューブ１０内に絶縁粉末１４を充填した後、チューブ１０にスウェージング加工を施すことで、チューブ１０及び中軸１１と一体とされたヒーター部材３が得られる。
【００４５】
次いで、ハウジング形成工程において、ハウジング２を製造する。まず、図５（ａ）に示すように、所定の鉄系素材からなる円板状の金属材ＭＢを用意するとともに、当該金属材ＭＢに対して深絞り加工を施し、ハウジング２となるべき筒状のハウジング中間体を得る。具体的には、外径が徐々に小さくなる複数の棒状のパンチ（図示せず）と、各パンチの外径に対応する内径を有する複数の有底筒状をなすダイス（図示せず）とがそれぞれ並んで取付けられたトランスファープレス（図示せず）に、前記金属材ＭＢを供給する。そして、前記パンチ及び前記ダイスを用いて、前記金属材ＭＢに対して多段階に亘ってプレス加工を施すことで、図５（ｂ）〜（ｄ）に示すように、金属材ＭＢを筒状に形成するとともに、筒状部分の深さを徐々に増大させていく。そして最後に、金属材ＭＢの両端部を切除することで、図５（ｅ）に示すように、工具係合部６に対応する比較的大径の係合部対応部３２を一端部に有し、全体的にほぼ均一の肉厚とされた筒状のハウジング中間体３１が得られる。
【００４６】
次いで、図６（ａ）に示すように、工具係合部６の外周形状に対応する形状の外周成形部ＯＭを内周に有するダイスＤ１と、上下動可能なパンチＰ１とを用いて、工具係合部６を形成する。詳述すると、まず、図６（ｂ）に示すように、ダイスＤ１の内周にハウジング中間体３１を配置する。その上で、図７（ａ）に示すように、パンチＰ１を下動させてパンチＰ１により係合部対応部３２をダイスＤ１の外周成形部ＯＭに押込む。これにより、係合部対応部３２の外周及び内周の双方が断面六角形状に成形され、図７（ｂ）に示すように、工具係合部６が形成される。
【００４７】
次に、ハウジング中間体３１の先端側外周に径方向内側に向けてプレスを加えることで、前記先端側胴部９に対応する部位を変形させ、前記保持部２０を形成する。また、転造加工により、ハウジング中間体３１の所定部位にねじ部５を形成する。
【００４８】
次いで、ハウジング中間体３１の先端部にプレス加工を施し、ハウジング中間体３１の先端部に屈曲部７Ａ及び補助屈曲部７Ｃを有するガスケット部７を形成することで、ハウジング２が得られる。
【００４９】
そして最後に、ヒーター部材３をハウジング２の保持部２０に圧入するとともに、前記絶縁ブッシュ１８やシール部材１９を中軸１１の後端部外周に配置した上で、中軸１１の後端部に端子ピン１７を加締め固定することにより、上述のグロープラグ１が得られる。
【００５０】
以上詳述したように、本実施形態によれば、内燃機関ＥＮの取付孔ＨＯにねじ部５を螺合した際には、圧接部７Ｂの外周側に位置する面が、内燃機関ＥＮの座面ＴＳに対して圧接するように構成されている。従って、座面ＴＳに対する圧接部７Ｂの接触面積を十分に大きなものとすることができる。
【００５１】
また、ガスケット部７は、自身の後端に設けられた屈曲部７Ａにおいて、自身の少なくとも後端部７Ｄが軸線ＣＬ１（つまり、軸力の印加方向）と交差する方向に曲げられている。すなわち、内燃機関ＥＮへの取付に伴いハウジング２に軸力が加わった場合には、屈曲部７Ａにおいてガスケット部が屈曲変形するように構成されており、ガスケット部７は軸線ＣＬ１方向に沿ったバネ性を有するものとされている。従って、内燃機関ＥＮの動作に伴う振動等が加えられた場合であっても、座面ＴＳに対して圧接部７Ｂをより確実に接触させることができる。その結果、上述の通り、座面ＴＳに対する圧接部７Ｂの接触面積を大きくできることと相俟って、燃焼室内において良好な気密性を確保することができる。また、圧接部７Ｂ及び座面ＴＳ間で生じる摩擦力を増大させることができるため、内燃機関ＥＮに対するグロープラグ１の緩みをより確実に防止することができる。
【００５２】
さらに、ガスケット部７は、前記屈曲部７Ａに加えて、補助屈曲部７Ｃを有するため、ガスケット部７のバネ性をより高めることができる。従って、座面ＴＳに対して圧接部７Ｂを一層確実に、かつ、より安定した状態で接触させることができる。その結果、気密性の更なる向上を図ることができるとともに、グロープラグ１の緩みを一層確実に防止することができる。
【００５３】
加えて、先端側胴部９の肉厚が１．６ｍｍ以下とされているため、ハウジング２の軽量化を図ることができる。従って、燃費性能の向上や製造コストの削減を図ることができる。また、ハウジング２（先端側胴部９）側へと引かれるヒーター部材３の熱を減少させることができるため、ヒーター部材３における急速昇温性の向上や、ヒーター部材３を所定温度に到達させるために必要な電力の低減を図ることができる。
【００５４】
併せて、ガスケット部７の肉厚が、先端側胴部９の肉厚よりも小さくされているため、内燃機関ＥＮの取付孔ＨＯにねじ部５を螺合した際には、ガスケット部７を先端側胴部９よりも変形しやすくすることができる。従って、先端側胴部９の変形に伴う軸力の低下を防止しつつ、座面ＴＳに対して圧接部７Ｂを一層確実に、かつ、一層安定的な状態で接触させることができる。その結果、気密性を一層向上させることができるとともに、グロープラグ１の緩み防止効果をより高めることができる。
【００５５】
加えて、ハウジング２が全体的に薄肉とされているため、ハウジング２の一層の軽量化を図ることができる。その結果、燃費性能の向上や製造コストの削減等をより一層効果的に実現することができる。
【００５６】
また、本実施形態において、保持部２０は、先端側胴部９における最小の外径を有するように構成されている。従って、内燃機関ＥＮに対するグロープラグ１の取付に伴い、先端側胴部９に対して軸力が加わった際には、ヒーター部材３側に向けて軸力が分解されることとなる。そのため、本実施形態のように、ハウジング２（先端側胴部９）が薄肉とされていても、保持部２０によるヒーター部材３の保持力が低下してしまうことをより確実に防止できる。
【００５７】
さらに、本実施形態では、板状の金属材ＭＢに対して深絞り加工を施すことにより、ハウジング２となるべきハウジング中間体３１が製造されている。従って、全体的に薄肉とされた軽量のハウジング２をより容易に製造することができ、生産性の向上を図ることができる。
【００５８】
尚、上記実施形態の記載内容に限定されず、例えば次のように実施してもよい。勿論、以下において例示しない他の応用例、変更例も当然可能である。
【００５９】
（ａ）上記実施形態において、ガスケット部７は、補助屈曲部７Ｃを有するように構成されている。これに対して、図８〔尚、図８〜図１１は、ハウジング２の先端部とこれが取付けられる内燃機関ＥＮの拡大端面図である。また、図８〜図１１においては、座面ＴＳに対する圧接による変形が生じていない状態のガスケット部を示す。〕に示すように、ガスケット部２１に補助屈曲部を設けることなく、ガスケット部２１が屈曲部２１Ａ及び圧接部２１Ｂを有するように構成してもよい。
【００６０】
また、上記実施形態において、ガスケット部７の後端部７Ｄは、軸線ＣＬ１方向先端側に向けて外周側に延びる形状とされているが、図９に示すように、ガスケット部２２の後端部２２Ｄを、軸線ＣＬ１方向先端側に向けて内周側に延びる形状とし、補助屈曲部２２Ｃにおいて、ガスケット部２２が外周側に曲げ返されて圧接部２２Ｂが座面ＴＳに対して圧接するように構成してもよい。
【００６１】
さらに、図１０及び図１１に示すように、ガスケット部２３（２４）に、複数の補助屈曲部２３Ｃ１，２３Ｃ２（２４Ｃ１，２４Ｃ２，２４Ｃ３，２４Ｃ４）を設けることとしてもよい。複数の補助屈曲部を設けることで、ガスケット部２３，２４のバネ性をより高めることができ、座面に対して圧接部を一層確実に圧接することができる。
【００６２】
（ｂ）上記実施形態では、発熱コイル１２の過昇温を防止すべく、発熱コイル１２及び中軸１１間に制御コイル１３が介在されているが、発熱コイル１２に中軸１１を直接接触させ、制御コイル１３を省略してもよい。
【００６３】
（ｃ）上記実施形態において、ヒーター部材３は、チューブ１０と当該チューブ１０の内部に配置された発熱コイル１２等により構成されており、本発明の技術思想が、いわゆるメタルグロープラグに対して適用されている。これに対して、ヒーター部材を、絶縁性セラミックからなる筒状の基体と、当該基体内に設けられるとともに、導電性セラミックにより形成され、中軸１１からの通電により発熱する発熱素子とにより構成し、本発明の技術思想を、いわゆるセラミックグロープラグに対して適用してもよい。また、この場合には、基体の外表面に発熱素子となる導電性の被膜が設けられてなるヒーター部材（いわゆる表面発熱タイプのヒーター）を用いてもよい。さらに、発熱素子の少なくとも一部を耐熱性に優れる導電性金属（例えば、タングステンを主成分とする合金等）により形成することとしてもよい。
【００６４】
（ｄ）上記実施形態において、グロープラグ１の後端部（ケーブルの接続部分）は、中軸１１の後端部に対して端子ピン１７が加締め固定される構成とされているが、グロープラグ１の後端部の構成はこれに限定されるものではない。従って、例えば、中軸１１のうちハウジング２の後端から突出する部位の外周に雄ねじを設けるとともに、内周に雌ねじを有するナットを、絶縁ブッシュ１８に接触した状態で前記雄ねじに螺合し、ナットから前記中軸の後端部が突出するように構成してもよい。すなわち、中軸の後端部がケーブルの接続箇所となるように構成してもよい。
【００６５】
（ｅ）上記実施形態において、中軸１１は中実の棒状をなしているが、図１２に示すように、中軸１１の内部に中空部２５を設け、中軸１１を筒状としてもよい。この場合には、グロープラグ１のより一層の軽量化を図ることができ、燃費性能の更なる向上を図ることができる。また、中軸１１によりヒーター部材３（発熱コイル１２）から引かれる熱を低減することができるため、ヒーター部材３（発熱コイル１２）をより速やかに所定温度に到達させることができるとともに、ヒーター部材３を所定温度に到達させるために必要な電力をさらに少なくすることができる。さらに、中軸１１により制御コイル１３の熱が引かれてしまうことを効果的に防止でき、制御コイル１３の温度ひいては抵抗値を一層速やかに増大させることができる。その結果、制御コイル１３の本来的な機能をより速やかに発揮させることができるとともに、更なる省電力化を図ることができる。
【００６６】
（ｆ）上記実施形態では、深絞り加工によりハウジング中間体３１が形成されているが、ハウジング中間体３１の製造手法は、これに限定されるものではない。従って、例えば、所定の金属材料に対して鍛造加工を施すことにより、ハウジング中間体を得ることとしてもよい。
【００６７】
（ｇ）上記実施形態において、先端側胴部９は、その外周及び内周が湾曲面状をなしており、均一の厚さを有しているが、先端側胴部９の形状はこれに限定されるものではない。従って、例えば、先端側胴部９の外径を軸線ＣＬ１に沿って一定とし、先端側胴部９のうち前記保持部２０のみを内周側に突出させ、保持部２０のみを比較的厚肉としてもよい。
【００６８】
（ｈ）上記実施形態において、工具係合部６は断面六角形状とされているが、工具係合部６の形状は、このような形状に限定されるものではない。従って例えば、工具係合部６を、Ｂｉ−ＨＥＸ（変形１２角）形状〔ＩＳＯ２２９７７：２００５（Ｅ）〕等としてもよい。
【００６９】
（ｉ）ヒーター部材３の形状は特に限定されるものではなく、例えば、断面楕円形状や断面長円形状、断面多角形状であってもよい。また、ヒーター部材として、絶縁性の基体を板状に複数形成して、その間に発熱体を挟み込んだいわゆる板状ヒーターを用いることとしてもよい。
【００７０】
（ｊ）上記実施形態における発熱コイル１２や制御コイル１３の構成材料は例示であって、発熱コイル１２等の構成材料は特に限定されるものではない。
【符号の説明】
【００７１】
１…グロープラグ、２…ハウジング、３…ヒーター部材、４…軸孔、５…ねじ部、７…ガスケット部、７Ａ…屈曲部、７Ｂ…圧接部、７Ｃ…補助屈曲部、９…先端側胴部、３１…ハウジング中間体、ＣＬ１…軸線、ＥＮ…内燃機関、ＨＯ…取付孔、ＭＢ…金属材、ＴＳ…座面。
【図１】
0005965181.tif 000002
【図２】
0005965181.tif 000003
【図３】
0005965181.tif 000004
【図４】
0005965181.tif 000005
【図５】
0005965181.tif 000006
【図６】
0005965181.tif 000007
【図７】
0005965181.tif 000008
【図８】
0005965181.tif 000009
【図９】
0005965181.tif 000010
【図１０】
0005965181.tif 000011
【図１１】
0005965181.tif 000012
【図１２】
0005965181.tif 000013